(57)【要約】 【課題】  電線に荷重が働いた場合にも内導体のがたつきを防止するシールド電線用コネクタを提供することを目的とする。【解決手段】  同軸ケーブル９の芯線９１にかしめられた内導体２を絶縁カバー３内に収容し、絶縁カバー３を外導体４の収容部４１内に挿入して保持し、収容部４１の後方に形成されたシールドバレル４２を同軸ケーブル９のシールド体９３にかしめた後、外導体４を収容部４１とシールドバレル４２との間において略直角に曲げ、その後、雌ハウジング５内に収容する。これにより雌コネクタ１は、外導体４から引き出された同軸ケーブル９が内導体２に対して略直角に延び、同軸ケーブル９が雌コネクタ１の反対側に引っ張られても、内導体２の絶縁カバー３内におけるがたつきが防止される。【選択図】  図２
2005327627.tif 000002
【特許請求の範囲】
【請求項１】
電線の芯線と接続された内導体を絶縁体内に収容し、前記絶縁体を外導体の収容部に挿入して保持するとともに、前記収容部の後方に形成されたシールドバレルを前記電線のシールド体にかしめ、更に、前記外導体をハウジング内に収容させたシールド電線用コネクタにおいて、
前記外導体を略直角に曲げることにより、前記外導体から引き出された前記電線が前記内導体に対して略直角に延びていることを特徴とするシールド電線用コネクタ。
【請求項２】
前記外導体は前記収容部と前記シールドバレルとの間において曲げられていることを特徴とする請求項１記載のシールド電線用コネクタ。
【請求項３】
前記外導体は、前記シールドバレルが前記シールド体にかしめられた後に曲げられることを特徴とする請求項１または請求項２記載のシールド電線用コネクタ。
【請求項４】
前記ハウジングは、前記外導体を収容した後に前記外導体の後方を閉塞するリテーナを有することを特徴とする請求項１乃至請求項３のいずれかに記載のシールド電線用コネクタ。
【発明の詳細な説明】
【技術分野】
【０００１】
本発明は、シールド電線に接続されるシールド電線用コネクタに関する。
【背景技術】
【０００２】
シールド電線に接続するための、シールド機能を有するコネクタに関する従来技術があった（例えば、特許文献１参照。）。この従来技術によるコネクタは、同軸ケーブルの芯線に接続された複数の内導体を含んだ絶縁体を、導電性の金属によって形成されたシールドカバー内に保持し、更に、シールドカバーを合成樹脂材料製のハウジング内に収容したものである。この従来技術によるコネクタにおいては、ハウジングから引き出されたケーブルがコネクタと反対方向に大きな荷重で引っ張られると、絶縁体内において内導体ががたつく虞があった。これを防ぐために、絶縁体に内導体の抜け止めのためのリテーナを装着すると、絶縁体が大型化し、シールドカバーとハウジングを含んだコネクタ全体が巨大化してしまう。
【特許文献１】実開平５−２３４５８号公報（第１図）
【発明の開示】
【発明が解決しようとする課題】
【０００３】
本発明は上記のような事情に基づいて完成されたものであって、電線に荷重が働いた場合にも内導体のがたつきを防止するシールド電線用コネクタを提供することを目的とする。
【課題を解決するための手段】
【０００４】
上記の目的を達成するための手段として、請求項１の発明は、電線の芯線と接続された内導体を絶縁体内に収容し、前記絶縁体を外導体の収容部に挿入して保持するとともに、前記収容部の後方に形成されたシールドバレルを前記電線のシールド体にかしめ、更に、前記外導体をハウジング内に収容させたシールド電線用コネクタにおいて、前記外導体を略直角に曲げることにより、前記外導体から引き出された前記電線が前記内導体に対して略直角に延びていることを特徴とするシールド電線用コネクタとした。
【０００５】
請求項２の発明は、前記外導体は前記収容部と前記シールドバレルとの間において曲げられていることを特徴とする請求項１記載のシールド電線用コネクタとした。
【０００６】
請求項３の発明は、前記外導体は、前記シールドバレルが前記シールド体にかしめられた後に曲げられることを特徴とする請求項１または請求項２記載のシールド電線用コネクタとした。
【０００７】
請求項４の発明は、前記ハウジングは、前記外導体を収容した後に前記外導体の後方を閉塞するリテーナを有することを特徴とする請求項１乃至請求項３のいずれかに記載のシールド電線用コネクタとした。
【発明の効果】
【０００８】
＜請求項１の発明＞
外導体を略直角に曲げることにより、外導体から引き出された電線が内導体に対して略直角に延びている構成としたことにより、電線にコネクタと反対方向に荷重が働いた場合にも内導体が直接に引っ張られることがなく、その絶縁体内におけるがたつきを防止することができる。
【０００９】
＜請求項２の発明＞
外導体は収容部とシールドバレルとの間において曲げられている構成としたことにより、その軸方向の長さを短縮することができる。
【００１０】
＜請求項３の発明＞
外導体は、シールドバレルがシールド体にかしめられた後に曲げられる構成としたことにより、電線の収容部からかしめ部までの長さを正確にすることができ、内導体のがたつき防止のため、引っ張り力に対する電線の余裕長さを確保することができる。
【００１１】
＜請求項４の発明＞
ハウジングは、外導体を収容した後に外導体の後方を閉塞するリテーナを有する構成としたことにより、電線が後方へ引っ張られることを防ぎ、内導体の絶縁体内におけるがたつきをいっそう防止することができる。
【発明を実施するための最良の形態】
【００１２】
図１乃至図１８に基づいて、本発明の実施形態について説明する。説明中において、図１７の左方を雌コネクタ１（本発明のシールド電線用コネクタに該当する）の前方とし、右方を雄コネクタ７の前方とする。図１は本実施形態によるシールド電線用コネクタ１の組付工程の一部を示している。内導体２は導電性を有する金属材料にて形成され、図１（Ａ）、（Ｂ）に示すように、前方に相手側コネクタである雄コネクタ７の雄端子７２と嵌合する嵌合部２１を備え、その後方に一対のバレル片によってそれぞれ構成され、シールド電線である同軸ケーブル９（本発明の電線に該当する）の芯線９１にかしめられるワイヤバレル２２、および内被覆９２にかしめられるインシュレーションバレル２３を有している。
【００１３】
絶縁カバー３（本発明の絶縁体に該当する）は合成樹脂材料にて略直方体状に一体に形成され、図１０に示すように、その内部には内導体２が収容される３個のキャビティ３１が並設されている。各々のキャビティ３１の前壁には雄端子７２が進入する端子孔３２が形成されている。図２に示すように、各キャビティ３１内へは撓み可能なランス３３が延びており、これは内導体２の下面に形成された係止突部２４と係合して、内導体２の仮係止を行う。また、図２に示したように、絶縁カバー３の上面には、前方より雄コネクタ７の接地端子７３が進入するシールド孔３４が設けられ、下面には後述する雌ハウジング５（本発明のハウジングに該当する）の係止片５３が進入して、その抜け止めを行う係止孔３５が設けられている（図２示）。更に、絶縁カバー３の前端部には、その外周方向に突出するフランジ部３６が設けられている。
【００１４】
外導体４は導電性を有する金属材料にて一体に形成され、図１（Ｃ）に示すように、前方に上述した絶縁カバー３を挿入して保持するために、断面が矩形の筒状に形成された収容部４１を有し、後端部には芯線９１を遮蔽するためのシールド体９３にかしめられるシールドバレル４２を備えている。シールドバレル４２の前方には、互いに対向するように一対の連結片４３が形成されており、これらの先端部には矩形状の係合孔４３ａが貫通している。一方、収容部４１の両側面には係合孔４３ａに係合する突部４１ａが形成されており、収容部４１の天井面からは撓み可能な係合片４４が下方に向けて突出している。また、収容部４１の下面には上述したハウジング５の係止片５３が挿通されて、その抜け止めを行う保持孔４５が形成され（図２示）、更に、収容部４１の上面には、雄コネクタ７の接地端子７３と当接して電気的に接続される一対の端子片４６が、下方に突出するように設けられている（図４示）。
【００１５】
図１（Ｃ）、（Ｄ）に示したように、フランジ部３６が外導体４の先端部に当接するまで、絶縁カバー３を前方から外導体４の収容部４１内に挿入した状態で、同軸ケーブル９の芯線９１に接続された複数の内導体２を、絶縁カバー３の各々のキャビティ３１内に後方より挿入して収容する。外導体４内に挿入された絶縁カバー３は、その上面に形成された図示しない係合孔が外導体４の係合片４４と係合することにより、その仮係止が行われる。図１（Ｅ）に示すように、外導体４のシールドバレル４２を外被覆９４上にむきかえされたシールド体９３にかしめた後、図１（Ｆ）に示したように、収容部４１とシールドバレル４２との間において、外導体４を略直角に折り曲げる。外導体４が折り曲げられることにより、連結片４３上の係合孔４３ａは収容部４１の突部４１ａと嵌合し、外導体４の折り曲げ形状を保持する。この状態において、外導体４から引き出された同軸ケーブル９は内導体２に対して略直角に延びており、図１（Ｆ）において下方に引っ張られても、引っ張り方向と内導体２の絶縁カバー３からの抜け方向とが一致しないため、キャビティ３１内におけるがたつきが防止される。
【００１６】
図２に示すように、雌ハウジング５は合成樹脂材料にて一体に形成されており、保持部５１を備えており、この内部には絶縁カバー３を含んだ外導体４を収容する収容孔５１ａを有している。保持部５１の下端部には、折り曲げられた同軸ケーブル９を案内するガイド部５２が形成されている。収容孔５１ａの下面からは、上述したように絶縁カバー３の係止孔３５および外導体４の保持孔４５と係合して、その抜け止めを行う係止片５３が撓み可能に突出している。雌ハウジング５の上面には雄コネクタ７のロック突部７１ｃと係合して、雌雄のコネクタ１、７の嵌合を保持するロック片５４が形成されている。ロック片５４にはロック突部７１ｃと係合する係合突部５４ａと、押圧することによりロック突部７１ｃと係合突部５４ａとの係合を解除する解除部５４ｂが設けられている。
【００１７】
更に、保持部５１の外周面の後端部には、後述するバックリテーナ６と係合する４つのリテーナ保持部５５ａが設けられている。また、ガイド部５２の外周面にも、バックリテーナ６と係合する２つのリテーナ保持部５５ｂが形成されている（図３〜図５示）。図４および図５に示すように、リテーナ保持部５５ａ、５５ｂは雌ハウジング５の外周面から突出し、その後方部には傾斜面が設けられている。外導体４は雌ハウジング５の収容孔５１ａ内に後方より挿入することにより収容される。
【００１８】
バックリテーナ６（本発明のリテーナに該当する）は合成樹脂材料にて一体に形成され、雌ハウジング５の保持部５１とガイド部５２の後方を塞ぐように形成された平板状の閉鎖部６１と、その周囲に前方に向けて立設された４つのフック部６２ａと、その下方にやはり前方に向けて立設された２つのフック部６２ｂを備えている（図２および図７示）。フック部６２ａ、６２ｂは、いずれも内部に矩形状の通孔を有するようにループ状に形成されており、上述した雌ハウジング５のリテーナ保持部５５ａ、５５ｂとそれぞれ係合する。雌ハウジング５の収容孔５１ａ内に、後方より絶縁カバー３を含んだ外導体４を収容した後、その後方を閉塞するように雌ハウジング５にバックリテーナ６を背面より装着する。バックリテーナ６のフック部６２ａ、６２ｂは、それぞれ外方に撓みながらリテーナ保持部５５ａ、５５ｂの傾斜面を乗り上げた後、形状復帰してリテーナ保持部５５ａ、５５ｂと係合して雌コネクタ１が完成する（図６〜図９示）。
【００１９】
図１４〜図１７に示すように、雄コネクタ７は雄ハウジング７１と、これに固定される雄端子７２および接地端子７３とにより構成されている。雄ハウジング７１は合成樹脂材料にて一体に形成され、その後部壁７１ａからフード部７１ｂが前方に延びて雄端子７２および接地端子７３を取り囲んでいる。フード部７１ｂの先端部の上面には、上述した雌コネクタ１の係合突部５４ａと係合するロック突部７１ｃが形成されている。また、雄ハウジング７１の外周部側面には、一対の取付ボス７１ｄが突出しており、これらには各々取付孔７１ｅが上下に貫通している。３個の雄端子７２および１個の接地端子７３は、導電性を有した金属材料にてそれぞれ略Ｌ字状に形成されており、雄ハウジング７１の後部壁７１ａに後方より圧入されている。雄コネクタ７は取付孔７１ｅに図示しない取付ボルトが挿通されて、電子回路基板等に締付けられることにより固定され、これにより雄端子７２および接地端子７３が電子回路基板の信号パターンおよびグラウンドパターンと電気的に接続される。
【００２０】
図１７および図１８に示すように、雌コネクタ１をその前方より雄コネクタ７のフード部７１ｂ内に進入させることにより、絶縁カバー３の各々の端子孔３２内に雄コネクタ７の雄端子７２が進入して、雌コネクタ１の内導体２と嵌合するとともに、雄コネクタ７の接地端子７３が絶縁カバー３のシールド項３４内に進入して外導体４の端子片４６と係合する。これにより、同軸ケーブル９の芯線９１が雄端子７２と電気的に接続され、シールド体９３が接地端子７３を介して接地される。また、雌雄のコネクタ１、７が互いに嵌合した時、雌ハウジング５の係合突部５４ａと雌ハウジング７１のロック突部７１ｃとが係合することにより、双方の係合状態を保持している。
【００２１】
本実施形態においては、外導体４を略直角に曲げることにより、外導体４から引き出された同軸ケーブル９が内導体２に対して略直角に延びている構成としたことにより、同軸ケーブル９がコネクタ１と反対側に引っ張られた場合にも、内導体２が直接にその抜け方向に引っ張られることがなく、その絶縁カバー３内におけるがたつきを防止することができる。また、外導体４は収容部４１とシールドバレル４２との間において曲げられている構成としたことにより、その軸方向（図１７において左右方向）の長さを短縮することができる。また、外導体４は、シールドバレル４２がシールド体９３にかしめられた後に曲げられる構成としたことにより、同軸ケーブル９の収容部４１からシールド体９３のかしめ部までの長さを正確にすることができ、内導体２のがたつき防止のため、引っ張り力に対する同軸ケーブル９の余裕長さを確保することができる。雌ハウジング５は、外導体４を収容した後に外導体４の後方を閉塞するバックリテーナ６を有する構成としたことにより、同軸ケーブル９が雌コネクタ１の後方へ引っ張られることを防ぎ、内導体２の絶縁カバー３内におけるがたつきをいっそう防止することができる。
【００２２】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）外導体を折り曲げる場合の折曲角度は、内導体のがたつきを防止できる角度であれば直角から多少増減してもかまわない。
（２）リテーナはハウジングに一体に設けてもよい。
【図面の簡単な説明】
【００２３】
【図１】本実施形態による内導体と同軸ケーブルを並置した側面図（Ａ）、内導体に同軸ケーブルを接続したところを示す側面図（Ｂ）、外導体に内導体および絶縁カバーを収容する前の状態を示す側面図（Ｃ）、外導体に内導体および絶縁カバーを収容した状態を示す側面図（Ｄ）、シールド体にシールドバレルをかしめた状態を示す側面図（Ｅ）、および外導体を折り曲げた状態を示す側面図（Ｆ）である。
【図２】雌ハウジングに外導体を収容する前の状態を示す断面図である。
【図３】図２の正面図である。
【図４】図３の上面図である。
【図５】図３の下面図である。
【図６】雌コネクタの側面図である。
【図７】雌コネクタの後方図である。
【図８】雌コネクタの上面図である。
【図９】雌コネクタの下面図である。
【図１０】絶縁カバーの水平断面図である。
【図１１】外導体の前方図である。
【図１２】外導体の後方図である。
【図１３】外導体の下面図である。
【図１４】雄コネクタの後方図である。
【図１５】雄コネクタの前方図である。
【図１６】雄コネクタの上面図である。
【図１７】雌雄のコネクタを嵌合させる前の状態を示す断面図である。
【図１８】雌雄のコネクタを嵌合させた状態を示す断面図である。
【符号の説明】
【００２４】
１…雌コネクタ
２…内導体
３…絶縁カバー
４…外導体
５…雌ハウジング
６…バックリテーナ
９…同軸ケーブル
４１…収容部
４２…シールドバレル
９１…芯線
９３…シールド体
【図１】
2005327627.tif 000003
【図２】
2005327627.tif 000004
【図３】
2005327627.tif 000005
【図４】
2005327627.tif 000006
【図５】
2005327627.tif 000007
【図６】
2005327627.tif 000008
【図７】
2005327627.tif 000009
【図８】
2005327627.tif 000010
【図９】
2005327627.tif 000011
【図１０】
2005327627.tif 000012
【図１１】
2005327627.tif 000013
【図１２】
2005327627.tif 000014
【図１３】
2005327627.tif 000015
【図１４】
2005327627.tif 000016
【図１５】
2005327627.tif 000017
【図１６】
2005327627.tif 000018
【図１７】
2005327627.tif 000019
【図１８】
2005327627.tif 000020